【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
印刷部を動作させるための動作データを生成する画像処理装置であって、
一連の画素データからなる描画データに対して圧縮符号化を行い、圧縮符号列を生成する圧縮手段と、
前記圧縮符号列から色を表現する部分符号を抽出する抽出手段と、
前記部分符号を、前記印刷部が有する色空間に変換する第１の変換手段と、
前記変換された前記部分符号を用いて、前記圧縮符号列を置換する置換手段と、
前記置換された圧縮符号列を復号する復号手段と、
前記復号された圧縮符号列を、前記動作データとしての解像度および階調数に変換する第２の変換手段と
を備えることを特徴とする画像処理装置。
【請求項２】
前記圧縮手段は、
前記一連の画素データを順次処理するにあたり、同じ値の画素データが連続して連なっている場合に、該連続する複数の画素データを、１の該画素データと該連続する回数を表す回数情報とに変換することで、前記圧縮符号列を生成し、
前記抽出手段は、
前記部分符号として、前記画素データを抽出することを特徴とする請求項１に記載の画像処理装置。
【請求項３】
印刷部を動作させるための動作データを生成する画像処理装置における画像処理方法であって、
圧縮手段が、一連の画素データからなる描画データに対して圧縮符号化を行い、圧縮符号列を生成する圧縮工程と、
抽出手段が、前記圧縮符号列から色を表現する部分符号を抽出する抽出工程と、
第１の変換手段が、前記部分符号を、前記印刷部が有する色空間に変換する第１の変換工程と、
置換手段が、前記変換された前記部分符号を用いて、前記圧縮符号列を置換する置換工程と、
復号手段が、前記置換された圧縮符号列を復号する復号工程と、
第２の変換手段が、前記復号された圧縮符号列を、前記動作データとしての解像度および階調数に変換する第２の変換工程と
を備えることを特徴とする画像処理方法。
【請求項４】
印刷部を動作させるための動作データを生成する画像処理装置における画像処理方法であって、
第１の変換手段が、一連の画素データを順次処理するにあたり、同じ値の画素データが連続して連なっている場合に、該連続する複数の画素データを、１の該画素データと該連続する回数を表す回数情報とに変換する第１の変換工程と、
第２の変換手段が、前記画素データを、前記印刷部が有する色空間に変換する第２の変換工程と、
出力手段が、前記変換された画素データを、前記回数情報が表わす回数繰り返して出力する出力工程と、
第３の変換手段が、前記出力された画素データを、前記動作データとしての解像度および階調数に変換する第３の変換工程と
を備えることを特徴とする画像処理方法。
【請求項５】
前記第１の変換工程は、
前記一連の画素データを順次処理するにあたり、同じ値の画素データが連続して連なっている場合に、前記変換した１の画素データを識別する識別情報と対応付けて前記１の画素データをリストに登録し、
同じ値の画素データが連続して連なっている場合であって、該画素データが既に前記リストに登録された画素データと同じであった場合に、該連続する複数の画素データを、該連続する回数を表す回数情報と該画素データを識別する識別情報とに変換し、
前記第２の変換工程は、前記色空間に変換した画素データを、前記画素データを識別する識別情報と対応付けて前記リストに登録することを特徴とする請求項４に記載の画像処理方法。
【請求項６】
前記出力工程は、前記識別情報に対応付けて前記リストに登録された、前記色空間に変換した画素データを出力することを特徴とする請求項５に記載の画像処理方法。
【請求項７】
印刷部を動作させるための動作データを生成する画像処理手順をコンピュータに実行させるためのプログラムであって、
一連の画素データからなる描画データに対して圧縮符号化を行い、圧縮符号列を生成する圧縮手順と、
前記圧縮符号列から色を表現する部分符号を抽出する抽出手順と、
前記部分符号を、前記印刷部が有する色空間に変換する第１の変換手順と、
前記変換された前記部分符号を用いて、前記圧縮符号列を置換する置換手順と、
前記置換された圧縮符号列を復号する復号手順と、
前記復号された圧縮符号列を、前記動作データとしての解像度および階調数に変換する第２の変換手順とコンピュータに実行させるためのプログラム。
【手続補正２】
【補正対象書類名】明細書
【補正対象項目名】０００６
【補正方法】変更
【補正の内容】
【０００６】
本発明は、上記課題に鑑みてなされたものであり、印刷装置のための色空間変換処理負荷の軽減を図ることを目的とする。
【手続補正３】
【補正対象書類名】明細書
【補正対象項目名】０００７
【補正方法】変更
【補正の内容】
【０００７】
上記の目的を達成するために本発明に係る画像処理装置は以下のような構成を備える。即ち、
印刷部を動作させるための動作データを生成する画像処理装置であって、
一連の画素データからなる描画データに対して圧縮符号化を行い、圧縮符号列を生成する圧縮手段と、
前記圧縮符号列から色を表現する部分符号を抽出する抽出手段と、
前記部分符号を、前記印刷部が有する色空間に変換する第１の変換手段と、
前記変換された前記部分符号を用いて、前記圧縮符号列を置換する置換手段と、
前記置換された圧縮符号列を復号する復号手段と、
前記復号された圧縮符号列を、前記動作データとしての解像度および階調数に変換する第２の変換手段とを備える。
【手続補正４】
【補正対象書類名】明細書
【補正対象項目名】０００８
【補正方法】変更
【補正の内容】
【０００８】
本発明によれば、印刷装置のための色空間変換処理負荷の軽減が実現できる。
【手続補正５】
【補正対象書類名】明細書
【補正対象項目名】００１９
【補正方法】変更
【補正の内容】
【００１９】
再び、図２に戻る。２０６は伸張部であり、置換部２０５において生成された第２の圧縮符号列を非圧縮形式に伸張する。２０７は量子化部であり、画像構成部２０１の解像度および色変換部２０４の出力階調数を、印刷部２０８に応じた解像度・階調数に変換し、色材量データを生成する。
【手続補正６】
【補正対象書類名】明細書
【補正対象項目名】００２０
【補正方法】変更
【補正の内容】
【００２０】
２０８は印刷部であり、色材量データに基づいて印刷ヘッドが動作し、紙などの媒体上に出力する。
【手続補正７】
【補正対象書類名】明細書
【補正対象項目名】００３５
【補正方法】変更
【補正の内容】
【００３５】
上述のように、圧縮部２０２が一連の画素データからなる描画データを処理していくにあたり、処理対象となる画素データの値と同じ値の画素データをすでに処理していた場合に生成される第１の圧縮符号列には、連続数符号６０２のみが含まれる。この場合、連続数符号６０２のみが抽出部２０３を介して置換部２０５に送信される。
【手続補正８】
【補正対象書類名】明細書
【補正対象項目名】００３６
【補正方法】変更
【補正の内容】
【００３６】
このため、図８に示すように、第２の圧縮符号列は、連続数符号６０２のみから構成されることとなる。連続数符号６０２は、圧縮部２０２で生成された第１の圧縮符号列の連続数符号６０２そのものである。つまり、置換部２０５では圧縮部２０２で生成された第１の圧縮符号列の連続数符号６０２を第２の圧縮符号列として出力する。
【手続補正９】
【補正対象書類名】明細書
【補正対象項目名】００４０
【補正方法】変更
【補正の内容】
【００４０】
ステップＳ１００１では、辞書Ｄの初期化を行う。ステップＳ１００２では、一連の画素データからなる描画データのうち、最初の画素データ（ＲＧＢ）を得る。ステップＳ１００３では、ステップＳ１００２で得られた最初の画素データ（ＲＧＢ）を辞書Ｄに登録する。その際に、当該最初の画素データを含む画素データ登録符号５０１を出力する。なお、辞書Ｄへの登録に際して付される辞書インデックスは、登録順に付されるものとする。
【手続補正１０】
【補正対象書類名】明細書
【補正対象項目名】００５６
【補正方法】変更
【補正の内容】
【００５６】
ステップＳ１１０４では、フラグＦの内容によって、ステップＳ１１０５もしくはステップＳ１１０７へと分岐する。具体的には、第２の圧縮符号列が、画素データ登録符号７０１と連続数符号５０２とを含むものであった場合（すなわち、図７に示す第２の圧縮符号列であった場合）には、ステップＳ１１０５に進む。一方、第２の圧縮符号列が、連続数符号６０２のみを含むものであった場合（すなわち、図８に示す第２の圧縮符号列であった場合）には、ステップＳ１１０７に進む。